(57)【要約】      （修正有）【課題】繋ぎ衣服の利点を失わずに用便に便利な繋ぎ衣服を提供する。【解決手段】上半身１の前身頃11と下半身２の前身頃21が繋がっており、下半身２の前身頃21の上部両端は下半身２の後身頃22に対して開閉可能であり、下半身２の内側には下半身２の後身頃22に連続して腹部を一周可能な筒部23が設けられている。用便の際には、筒部23だけををずり下ろして用を足すことができる。【選択図】図４
0003117691.tif 000002
【実用新案登録請求の範囲】
【請求項１】
上半身(１)の前身頃(11)と下半身(２)の前身頃(21)が繋がっている衣服であって、下半身(２)の前身頃(21)の上部両端は下半身(２)の後身頃(22)に対して開閉可能であり、下半身(２)の前身頃(21)の内側には着用者の腹部を一周可能な筒部(23)が設けられ、下半身(２)の後身頃(22)は該筒部(23)の後部を兼用し、該筒部(23)には着用者の腹部を締め付ける伸縮締付部(24)を有し、上半身(１)の前身頃(11)には、該前身頃(11)のずり落ちを防止するずり落ち防止手段(３)が設けられている繋ぎ衣服。
【請求項２】
筒部(23)の前側下端(23a)は下半身(２)の前身頃(21)と後身頃(22)の開閉可能部(25)の下端(25a)よりも下側に位置している請求項１に記載の繋ぎ衣服。
【請求項３】
ずり落ち防止手段(３)は、上半身(１)の前身頃(11)の左右上端から着用者の肩に掛かって背中へ垂れ下がる帯状部材(12)(12)と、上半身(１)の前身頃(11)の左右両端及び／又は下半身(２)の前身頃(21)の左右両端から筒部(23)の上部を隠す様に突設され前記帯状部材(12)(12)の先端が繋がった２つの被せ布(13)(13)と、両被せ布(13)(13)どうしを着脱可能に繋ぐ、ホック、釦、面ファスナー等の係止手段(14)とによって構成されている請求項１又は２に記載の繋ぎ衣服。
【請求項４】
ずり落ち防止手段(３)は、着用者の首が嵌まる開口部(16)が設けられ上半身(１)の上端から着用者の肩に掛かって背中へ垂れ下がる様に延びる垂れ布(15)の先端部の左右両端に、前身頃(11)及び／又は(21)に着脱可能に繋ぐ、ホック、釦、面ファスナー等の係止手段(14)を設けて構成されている請求項１又は２に記載の繋ぎ衣服。
【請求項５】
上半身は両袖付きであって、両袖(17)(17)がずり落ち防止手段(３)を兼用している請求項１又は２に記載の繋ぎ衣服。
【請求項６】
下半身(２)はスカート体である請求項１乃至５の何れかに記載の繋ぎ衣服。
【請求項７】
下半身(２)はパンツ体(ズボン体)である請求項１乃至５の何れかに記載の繋ぎ衣服。
【請求項８】
上半身(１)の前身頃(11)と下半身(２)の前身頃(21)が逢着されることなく一体に繋がっている請求項１乃至７の何れかに記載の繋ぎ衣服。
【考案の詳細な説明】
【技術分野】
【０００１】
本考案は、上半身と下半身が繋がった繋ぎ衣服において、排便に便利な繋ぎ衣服に関する。
【背景技術】
【０００２】
上半身と下半身が繋がった繋ぎ衣服は、衣服の上半身の捲れ上がりの心配がなく、着用者の腹部が露出しない利点がある。
一般的には繋ぎ衣服は、下半身がパンツ体(ズボン体)である作業衣としてのイメージが強いが、下半身をスカート体とすれば普通のワンピースや、気取ったドレスにもなる。
高齢者にとって衣服は、見た目も大事であるが防寒の役割に期待するところが大きく、上半身が捲れ上がることのない繋ぎ衣服は防寒用に適している。重ね着の枚数を多くしても目立たず、又、下半身のスカート体の丈を長くすれば、厚手のタイツを履いても気づかれず、不意の来客の応対や、外出にも、見た目を気にしなくて済む。
【０００３】
しかし、繋ぎ衣服は用便には不都合である。そこで衣服の臀部だけをずり下げ可能な繋ぎ服(特許文献１)が提案されている。
【０００４】
【特許文献１】特開平１−１４９４１９号公報
【考案の開示】
【考案が解決しようとする課題】
【０００５】
特許文献１の繋ぎ衣服は、臀部布の上端を、面ファスナーによって後身頃に係止して着用するものであるから、用便のために臀部布の係止を外すと、該臀部布が便器内に垂れ下がってしまう。高齢者や年少者にとって、臀部布の係止を外した後、該臀部布を手で保持して垂れ下がりを防止しながら用を足すことは、大きな負担であるし、臀部布を保持しておかなければならないことを忘れてしまうことがある。
【０００６】
本考案は、繋ぎ衣服の利点を損なわず、用便の際も、普通のスカートやパンツを着用しているのと同様にして用を足すことがてきる繋ぎ衣服を提供するものである。
【課題を解決するための手段】
【０００７】
本考案の繋ぎ衣服は、上半身(１)の前身頃(11)と下半身(２)の前身頃(21)が繋がっている衣服であって、下半身(２)の前身頃(21)の上部両端は下半身(２)の後身頃(22)に対して開閉可能であり、下半身(２)の前身頃(21)の内側には着用者の腹部を一周可能な筒部(23)が設けられ、下半身(２)の後身頃(22)は該筒部(23)の後部を兼用し、該筒部(23)には着用者の腹部を締め付ける伸縮締付部(24)を有し、上半身(１)の前身頃(11)には、該前身頃(11)のずり落ちを防止するずり落ち防止手段(３)が設けられている。
【０００８】
筒部(23)の長さは、筒部(23)の前側下端(23a)が、下半身(２)の前身頃(21)と後身頃(22)の開閉可能部(25)の下端(25a)よりも下側に位置する様にすることが望ましい。
【考案の効果】
【０００９】
繋ぎ衣服の筒部(23)に着用者が嵌まり込んで、筒部(23)が腹部から腰部を包む様に着用する。
前から見ると普通のワンピース姿と同じ様に見え、何ら違和感はない。上下の前身頃(11)(21)が繋がっているから、上半身(１)の前身頃(11)が捲れ上がることはない。
着用者の腹部には、衣服の前身頃と、筒部(23)が二重に重なるため、腹部の冷えを防止できる。
【００１０】
用便の際には、筒部(23)の上部をずり下ろす。筒部(23)の上部は上半身(１)の前身頃(11)にも下半身(２)の前身頃(21)にも繋がっていないので、筒部(23)を下着と一緒に簡単にずり下ろすことができる。
又、筒部(23)のずり下ろしは、下半身(２)の前身頃(21)と後身頃(22)の開閉可能部(25)の下端(25a)までに規制されるので、必要以上にずり下げてしまって、衣服を汚すこともない。
筒部(23)は、上部の伸縮締付部(24)が着用者の腹部を締め付けて止まっているだけであるから、ずり下ろしに手間が掛からず便利である。
上記した作用、効果から、本考案の繋ぎ衣服は、高齢者向き衣服、年少者向き衣服に実施すれば、着用者にとって快適であり、用便の際に、その機能性がいかんなく発揮できる。
【００１１】
筒部(23)の長さを、その前側下端(23a)が、下半身(２)の前身頃(21)と後身頃(22)の開閉可能部(25)の下端(25a)よりも下側に位置する様にすれば、該開閉可能部(25)は、外観上は、その縦方向の全長に亘って内側から筒部(23)で塞がった状態となるから、下着等が見えることはなく、安心して着用できる。
【考案を実施するための最良の形態】
【００１２】
第１実施例(図１乃至図７)
第１実施例の繋ぎ衣服は、衿なし、袖なしの上半身(１)の前身頃(11)に下半身(２)であるスカート部が繋がっているジャンパードレス(ジャンパースカート)風に仕立てられている。
実施例では、上半身(１)の前身頃(11)と下半身(２)の前身頃(21)は一体に連続した布で形成されているが、両前身頃(11)(21)を別布とし、逢着等で繋ぎ合わせることもできる。
上半身(１)の前身頃(11)の左右上端から着用者の肩に掛かって背中へ垂れ下がる帯状部材(12)(12)が延びている。
【００１３】
下半身(２)の前身頃(21)の上部左右両端から着用者の腰に巻き付く様に、２つの被せ布(13)(13)が延びている。
被せ布(13)(13)は、上半身(１)の前身頃(11)の下部左右両端から着用者の腰に巻き付く様に延ばすことも、或いは、上半身(１)の前身頃(11)と下半身(２)の前身頃(21)に跨って延ばすこともできる。
前記帯状部材(12)(12)の先端は、夫々被せ布(13)(13)に繋がっている。
被せ布(13)(13)には、互いに着脱可能に繋ぐための係止手段(14)が設けられる。  実施例の係止手段(14)は、一方の被せ布(13)の先端に設けた釦(14a)と、他方の被せ布(13)の先端に設けた釦穴(14b)によって構成されている。
【００１４】
帯状部材(12)(12)を両肩に掛けて、被せ布(13)(13)を係止手段(14)で繋ぐと、上半身(１)の前身頃(11)のずり落ちは防止される。
即ち、帯状部材(12)(12)、被せ布(13)(13)及び係止手段(14)が、上半身(１)の前身頃(11)のずり落ちを防止するずり落ち防止手段(３)を構成する。
【００１５】
下半身(２)の前身頃(21)と後身頃(22)は、該後身頃(22)の上部を残して逢着されている(図７のＬ１で示す範囲)が、該後身頃(22)の上部と該前身頃(21)とは逢着されておらず開閉可能部(25)(図７のＬ2で示す範囲)となっている。
該開閉可能部(25)の下端(25a)の位置は、該下端(25a)によって規制されるまで筒部(23)をずり下げた状態で、着用者の臀部が露出する様に決めればよい。
【００１６】
下半身(２)の前身頃(21)の内側に、着用者の腹部を一周可能な筒部(23)が設けられている。該筒部(23)の後部は、下半身(２)の後身頃(22)の上部が兼ねている。
筒部(23)の上端部は、ゴム紐入り伸縮締付部(24)となっている。該伸縮締付部(24)は、前記被せ布(13)(13)の先端どうしを係止した状態で、該被せ布(13)(13)に隠れて外部からは見えない。
筒部(23)の前側下端(23a)は、前記下半身(２)の前身頃(21)と後身頃(22)の開閉可能部(25)の下端(25a)よりも低い位置にある。
【００１７】
上記繋ぎ衣服は、係止手段(14)を外して被せ布(13)(13)間を開放し、着用者は、筒部(23)に嵌まり込む様に着用する。
筒部(23)の伸縮締付部(24)が腹部を締めつける位置まで筒部(23)を引き上げてから、各帯状部材(12)と被せ布(13)との間に腕を通し、帯状部材(12)(12)を両肩に掛ける。
腰の後ろで係止手段(14)によって被せ布(13)(13)を繋ぐ。
【００１８】
外観からは、筒部(23)の存在は気づかれることはない。下半身(２)の後身頃(22)が筒部(23)の後部を兼用していることも分からない。
即ち、外観からは、普通のジャンパースカートを着用している様にしか見えず、何ら違和感はない。
普通のジャンパースカートと同様にして、上半身(１)の前身頃(11)が捲れ上がることはない。
着用者の腹部には、衣服の前身頃と筒部(23)が二重に重なるため、腹部の冷えを防止できる。
用便の際には、筒部(23)をずり下げる。筒部(23)の上部は上半身(１)の前身頃(11)にも下半身(２)の前身頃(21)にも繋がっていないので、筒部(23)を下着と一緒に簡単にずり下げることができる。
又、筒部(23)は、下半身(２)の前身頃(21)と後身頃(22)の開閉可能部(25)の下端(25a)によって、ずり下げ範囲が規制されるので、必要以上にずり下げて衣服を汚すこともない。
【００１９】
筒部(23)は、上部の伸縮締付部(24)が着用者の腹部を締め付けて止まっているだけであり、又、伸縮締付部(24)を隠す被せ布(13)(13)は、筒部(23)には繋がりも、止め付けもされていないので、筒部(23)の上げ下ろしに邪魔にならない。
上記した作用、効果から、本考案の繋ぎ衣服は、高齢者向き衣服、年少者向き衣服に実施すれば、着用者にとって快適であり、用便の際に、その機能性がいかんなく発揮できる。
【００２０】
第２実施例(図８)
図８は、本考案の第２実施例の繋ぎ衣服を示しており、上半身(１)の前身頃(11)と、下半身(２)の前身頃(21)の関係、下半身(２)の前身頃(21)と後身頃(22)の関係、該前身頃(21)と筒部(23)の関係、該後身頃(22)と筒部(23)の関係は前記第１実施例と同様である。
上半身(１)の前身頃(11)に対するずり落ち防止手段(３)が第１実施例と少し異なる。
第２実施例のずり落ち防止手段(３)は、上半身(１)の前身頃(11)の上端から着用者の肩に掛かって背中へ垂れ下がる様に延びる垂れ布(15)に着用者の首が嵌まる開口部(16)を設け、垂れ布(15)の先端部の左右両端に、上半身(１)の前身頃(11)及び／又は下半身(２)の前身頃(21)に着脱可能に繋ぐ、係止手段(14)を設けて構成されている。
係止手段(14)は、垂れ布(15)の左右両端に取り付けた釦(14a)を、前身頃(11)及び／又は(21)に設けた釦穴(14b)に掛けて止めるものである。
【００２１】
上記繋ぎ衣服を着用するには、係止手段(14)を外して垂れ布(15)を持ち上げた状態で、着用者は、筒部(23)に嵌まり込んで、筒部(23)を腹部まで引き上げる。
次に、垂れ布(15)の開口部(16)に首を入れて垂れ布(15)を背中に垂れ下げ、釦(14a)を釦穴(14b)に掛けて垂れ布(15)を前身頃に止める。
第２実施例の繋ぎ衣服は、前記第１実施例の繋ぎ衣服と同様の効果を奏する。
【００２２】
第３実施例(図９)
図９は、上半身(１)が両袖(17)(17)付きのプルオーバ(被り上衣)(10)となっている。
プルオーバ(10)の前身頃(11)は、下半身(２)の前身頃(21)と繋がっているが、プルオーバ(10)の後身頃(18)は下半身(２)の後身頃(22)とは繋っていない。
従って、プルオーバ(10)の前身頃(11)は捲り上げ不能であるが後身頃(18)は捲り上げ可能である。
下半身(２)の前身頃(21)と後身頃(22)の関係、該前身頃(21)と筒部(23)の関係、該筒部(23)と後身頃(22)の関係は前記第１実施例と同様である。
プルオーバ(10)の後身頃(18)の裾を下ろすと、筒部(23)の伸縮締付部(24)が隠れる。
【００２３】
上記繋ぎ衣服は、プルオーバ(10)の後身頃(18)を捲り上げて、着用者は、筒部(23)に嵌まり込んで、筒部(23)を胸部あたりまで高く引き上げる。
次に、プルオーバ(10)を上半身に被り、両袖(17)(17)に腕を通し、首孔(19)から首を出す。
筒部(23)を腹部まで下ろし、プルオーバ(10)の後身頃(18)の裾を下ろして筒部(23)後端の伸縮締付部(24)の後部を隠す。
【００２４】
第３実施例では、プルオーバ(10)の両袖(17)(17)が、ずり落ち防止手段(３)となる。袖(17)(17)は、長袖、半袖等、袖長さは問わない。
プルオーバ(10)は、伸縮性素材で形成したり、袖(17)(17)をラグラン袖としてゆったりとした作りにすれば、着たり、脱いだりが楽にできる。
【００２５】
上記実施例の説明は本考案を説明するためのものであって、実用新案登録請求の範囲に記載の考案を限定し、或いは該範囲を減縮する様に解すべきではない。本考案の各部構成は、上記実施例に限らず、実用新案登録請求の範囲に記載の技術的範囲内で、種々の変形が可能であることは勿論である。
【００２６】
例えば、図３に示す第１実施例の被せ布(13)(13)どうしを繋ぐ係止手段(14)、図８に示す第２実施例の垂れ布(15)の下端両側を前身頃に繋ぐ係止手段(14)は、釦(14a)と釦穴(14b)の組合せに限ることはなく、ホック、面ファスナー等、容易に着脱できれば構成は問わない。
【００２７】
又、実施例では、下半身(２)はスカート体であるが、下半身(２)をパンツ体(ズボン体)とすることも可能である。この場合、筒部(23)は、パンツ体の上端から股の近傍部分までを指す。
【図面の簡単な説明】
【００２８】
【図１】第１実施例の繋ぎ衣服の正面図である。
【図２】第１実施例の繋ぎ衣服の背面図である。
【図３】第１実施例の繋ぎ衣服の係止手段を外した状態の背面図である。
【図４】同上の側面図である。
【図５】筒部をずり下げた状態の側面である。
【図６】第１実施例の分解斜視図である。
【図７】第１実施例の斜視図である。
【図８】第２実施例の斜視図である。
【図９】第３実施例の斜視図である。
【符号の説明】
【００２９】
１  上半身
11  前身頃
14  係止手段
２  下半身
21  前身頃
22  後身頃
23  筒部
24  伸縮締付部
【図１】
0003117691.tif 000003
【図２】
0003117691.tif 000004
【図３】
0003117691.tif 000005
【図４】
0003117691.tif 000006
【図５】
0003117691.tif 000007
【図６】
0003117691.tif 000008
【図７】
0003117691.tif 000009
【図８】
0003117691.tif 000010
【図９】
0003117691.tif 000011